(57)【特許請求の範囲】
【請求項１】
電源より電気が供給される第１の電源系統及び第２の電源系統と、
前記第１の電源系統で電気が供給される負荷と、
前記第２の電源系統で電気が供給される制御手段と、
前記第１の電源系統を遮断する遮断手段と、
前記電源と前記遮断手段との間の前記第１の電源系統に設けられ、かつ、前記電源と前記制御手段との間の前記第２の電源系統に設けられる検出手段とを備え、
前記制御手段は、漏電が発生したことを前記検出手段で検出すると、前記遮断手段で前記第１の電源系統への電気の供給を遮断する
ことを特徴とする設備機器。
【請求項２】
前記制御手段は、漏電が発生した場合、前記第２の電源系統で供給される電気で作動して報知手段で報知する
ことを特徴とする請求項１に記載の設備機器。
【請求項３】
前記制御手段は、漏電が発生した場合、前記第２の電源系統で供給される電気で作動して記憶手段に履歴情報を記憶する
ことを特徴とする請求項１または請求項２に記載の設備機器。
【請求項４】
前記第２の電源系統に供給される電気を少なくとも変圧して前記制御手段に供給する制御電力生成手段を備えた
ことを特徴とする請求項１、請求項２または請求項３に記載の設備機器。  
【発明の詳細な説明】
【技術分野】
【０００１】
本発明は、住宅等に設置され、電気で作動する設備機器に関する。
【背景技術】
【０００２】
住宅等に設置される電気で作動する設備機器は、漏電の発生を検出すると電気の供給を停止できる構成が備えられている。漏電の発生で電気の供給を停止する構成としては、電源コードのプラグに、漏電検出器と遮断器を備えた漏電ブレーカーを接続した構成が知られている。
【０００３】
生ゴミ等の厨芥を破砕処理する厨芥処理装置と称す設備機器は、シンクの下のキャビネット内に設置される。厨芥処理装置で電源コードのプラグに漏電ブレーカーが接続される構成では、キャビネット内に漏電ブレーカーが露出するので、キャビネット内の物品の出し入れに支障をきたす場合がある。
【０００４】
そこで、漏電検出器や遮断器を厨芥処理装置に内蔵した技術が提案されている（例えば、特許文献１参照）。また、厨芥処理装置を操作するリモートコントロール装置に漏電検出回路を備えた技術が提案されている（例えば、特許文献２参照）。
【先行技術文献】
【特許文献】
【０００５】
【特許文献１】特開平０９−１２２５２６号公報
【特許文献２】特開平０９−１９５３４２号公報
【発明の概要】
【発明が解決しようとする課題】
【０００６】
しかし、漏電ブレーカーを電源コードのプラグに接続する従来の設備機器では、漏電が検出されて漏電ブレーカーが作動すると、装置全体への電気の供給が停止するので、漏電が防止される一方、装置から漏電が発生したことを使用者等の報知することができなかった。
【０００７】
また、漏電検出器及び遮断器を装置本体に備えた従来の設備機器でも、漏電が検出されると、装置全体への電気の供給が停止するので、装置から漏電が発生したことを使用者等の報知することができなかった。
【０００８】
このため、漏電で電源から遮断されたことを使用者は認識できず、装置が動かない原因を把握することができなかった。
【０００９】
本発明は、このような課題を解決するためなされたもので、漏電発生時に負荷への電気の供給は遮断すると共に、制御系統への電気の供給は継続できるようにした設備機器を提供することを目的とする。
【課題を解決するための手段】
【００１０】
上述した課題を解決するため、本発明は、電源より電気が供給される第１の電源系統及び第２の電源系統と、第１の電源系統で電気が供給される負荷と、第２の電源系統で電気が供給される制御手段と、第１の電源系統を遮断する遮断手段と、電源と遮断手段との間の第１の電源系統に設けられ、かつ、電源と制御手段との間の第２の電源系統に設けられる検出手段とを備え、制御手段は、漏電が発生したことを検出手段で検出すると、遮断手段で第１の電源系統への電気の供給を遮断する設備機器である。
【００１１】
本発明では、第１の電源系統で漏電等の不良が発生したことが検出されると、第１の電源系統が遮断されることで、漏電が防止される。これに対し、第２の電源系統では電気の供給が継続され、制御系統が作動して報知、履歴の記憶等を行うことが可能となる。
【発明の効果】
【００１２】
本発明によれば、負荷への電気の供給を遮断した後も、制御系統への電気を供給できるので、不良が発生したことの通知、不良が発生したことの履歴を記憶することができる。これにより、負荷が駆動されない理由を把握することができ、不良発生時の迅速な対応が可能となる。
【図面の簡単な説明】
【００１３】
【図１】本実施の形態の設備機器の機能の一例を示すブロック図である。
【図２】本実施の形態の設備機器の構成の一例を示すブロック図である。
【図３】設備機器の実施の形態としての厨芥処理装置の一例を示す構成図である。
【図４】設備機器の実施の形態としての厨芥処理装置の一例を示す構成図である。
【図５】本実施の形態の設備機器の変形例を示すブロック図である。
【発明を実施するための形態】
【００１４】
以下に、図面を参照して本発明の設備機器の実施の形態について説明する。
【００１５】
＜本実施の形態の設備機器の構成例＞
図１は、本実施の形態の設備機器の機能の一例を示すブロック図、図２は、本実施の形態の設備機器の構成の一例を示すブロック図である。また、図３及び図４は、設備機器の実施の形態としての厨芥処理装置の一例を示す構成図である。なお、図３は、厨芥処理装置の内部構成を示す側断面図、図４は、厨芥処理装置の要部構成を示す一部破断斜視図である。
【００１６】
設備機器１Ａは、負荷２へ電気を供給する第１の電源系統３Ａと、制御部１００へ電気を供給する第２の電源系統３Ｂを備える。設備機器１Ａは、第１の電源系統３Ａと第２の電源系統３Ｂが電源４に対して並列に接続され、本例では同一の電源４から電気の供給を受ける。電源４は、本例では商用電源である。設備機器１Ａは、１００Ｖあるいは２００Ｖ程度の高電圧の電気、本例では交流（ＡＣ）の供給を電源４から受ける。
【００１７】
設備機器１Ａは、第２の電源系統３Ｂに制御電力生成部５を備える。制御電力生成部５は制御電力生成手段の一例で、トランスで構成される変圧部５０と、交流を直流に変換する整流部５１を備える。
【００１８】
設備機器１Ａは、電源４から供給される高電圧の交流で負荷２が作動する。また、設備機器１Ａは、電源４から供給される高電圧の交流を制御電力生成部５で降圧、整流した低電圧の直流（ＤＣ）で制御部１００が作動する。制御電力生成部５は、磁気回路で構成される所謂絶縁トランスと称す変圧部５０で降圧を行っており、制御部１００は電源４と電気的に絶縁されている。
【００１９】
負荷２は、例えばモータ、電磁弁、ヒータ等で構成される。設備機器１Ａが図３及び図４に示すような厨芥処理装置２００である場合、負荷２は、回転破砕部２０１を回転させるモータ２０、水の供給の有無を切り換える図示しない電磁弁である。また、設備機器１Ａが図示しない浴室換気乾燥暖房装置である場合、負荷２は、風路を切り替えるダンパを駆動するモータ、ファンを回転させるモータ、ヒータである。
【００２０】
設備機器１Ａは、制御部１００から出力される制御信号Ｓ１が駆動部６に入力され、制御信号Ｓ１に基づきモータ２０等の負荷２が制御される。なお、制御信号Ｓ１等、制御部１００から駆動部６に流れる電気は低電圧であるが、第１の電源系統３Ａでの漏電時に制御部１００から流れる電気の漏電を防止するため、制御部１００と駆動部６との間に絶縁回路部６０を備える。
【００２１】
設備機器１Ａは、第１の電源系統３Ａでの漏電の発生を検出する漏電検出部７を備える。漏電検出部７は漏電検出手段の一例で、電源４と負荷２の間の第１の電源系統３Ａに設けられる。漏電検出部７は、第１の電源系統３Ａを流れる電流値を計測し、第１の電源系統３Ａでの漏電の有無を検出する。漏電検出部７は、漏電の発生を検出すると、漏電検出信号Ｓ２を制御部１００に出力する。
【００２２】
設備機器１Ａは、第１の電源系統３Ａでの電気の流れを遮断する遮断部８を備える。遮断部８は遮断手段の一例で、電源４に対して第２の電源系統３Ｂと並列に接続される第１の電源系統３Ａに設けられる。
【００２３】
遮断部８は、接点を開閉する部材を備えて電気的な導通の有無を切り換える構成により、第１の電源系統３Ａに電気が流れる状態と第１の電源系統３Ａが遮断される状態を切り換える。遮断部８は、両切りスイッチが使用され、遮断部８で第１の電源系統３Ａが遮断されると、負荷２に電気が流れないように構成される。
【００２４】
設備機器１Ａは、遮断部８が導通した状態では、第１の電源系統３Ａと第２の電源系統３Ｂの両方に電気が流れる。これに対し、遮断部８で第１の電源系統３Ａが遮断された状態では、第１の電源系統３Ａには電気が流れず、第２の電源系統３Ｂには電気が流れる。
【００２５】
遮断部８は、制御部１００から出力される遮断信号Ｓ３で導通状態から遮断状態へ作動し、遮断信号Ｓ３が入力されると、第１の電源系統３Ａを遮断する。設備機器１Ａは、遮断部８で第１の電源系統３Ａが遮断されても、電源４から制御電力生成部５へ電気は供給され、制御電力生成部５で生成された電気で制御部１００が作動する。
【００２６】
また、遮断部８は、復帰信号Ｓ４で遮断状態から導通状態へ作動する。復帰信号Ｓ４は、制御部１００が出力する構成でも良いし、遮断部８を復帰させる操作部を別に備え、この操作部の操作で復帰信号を出力し、導通状態へ復帰したことを制御部１００に通知する構成でも良い。
【００２７】
制御部１００は制御手段の一例で、操作部１０１での所定で出力される操作信号Ｓ５に応じた制御信号Ｓ１を駆動部６に出力し、負荷２を制御する。また、制御部１００は、漏電検出部７で漏電が検出されることで出力される漏電検出信号Ｓ２が入力されると、遮断部８に遮断信号Ｓ３を出力し、遮断部８を作動させて第１の電源系統３Ａを遮断する。更に、制御部１００は、漏電検出信号Ｓ２が入力されると、報知信号Ｓ６を報知部１０２に出力し、使用者等が認識可能な形態で報知を行う。
【００２８】
報知部１０２は報知手段の一例で、音による報知を行うブザー、光による報知を行うランプ、表示による報知を行うディスプレイ等で構成される。制御部１００は、報知部１０２がブザーであれば、例えば、連続して音を出力する、あるいは、一定間隔で音を出力する等の報知信号Ｓ６を出力する。
【００２９】
また、制御部１００は、報知部１０２がランプであれば、例えば、連続して光を出力する、あるいは、漏電の検出を示す予め決められた一定間隔で光の点灯と消灯を繰り返す等の報知信号Ｓ６を出力する。更に、制御部１００は、報知部１０２がディスプレイであれば、例えば、漏電を検出したことを示す文言、画像等を表示する報知信号Ｓ６を出力する。
【００３０】
制御部１００は、設備機器１Ａが電源４から遮断される、例えば、電源コードのプラグがコンセントから抜かれる、あるいは、ブレーカーが切られることで、制御部１００への電気の供給が停止されるまで、報知信号Ｓ６を出力することとしても良い。
【００３１】
制御部１００は、漏電検出信号Ｓ２が入力されると、履歴として漏電が発生したことを検出し、記憶信号Ｓ７を出力して記憶部１０３に記憶する。制御部１００は、電源が再投入されると、電源遮断前の状態、本例では、漏電を検出した状態に基づいて再度報知信号Ｓ６を出力し、漏電検出信号Ｓ２が入力されないと判断すると、報知信号Ｓ６を停止する。
【００３２】
また、制御部１００は、設備機器１Ａの電源４からの遮断によらず、操作部１０１での所定の操作で報知信号Ｓ６の出力を停止しても良い。また、制御部１００は、漏電検出信号Ｓ２が入力されると、一定期間毎に報知信号Ｓ６を出力しても良い。
【００３３】
＜本実施の形態の厨芥処理装置の構成例＞
次に、図３及び図４等を参照して、設備機器１Ａの実施の形態としての厨芥処理装置２００の構成について説明する。
【００３４】
厨芥処理装置２００は、生ゴミ等の厨芥が投入される略円筒形状の破砕室２０２を備え、厨房のシンク２０３に設置される。破砕室２０２は、厨芥処理装置２００の上部に形成された投入口２０４につながり、投入口２０４がシンク２０３の開口部２０５に露出する。破砕室２０２は、厨芥処理装置２００に着脱自在に取り付けられ、破砕室２０２を取り外しての清掃が可能である。
【００３５】
厨芥処理装置２００は、破砕室２０２とつながる排水管接続口２０６を備える。厨芥処理装置２００は、破砕室２０２の下側に、図示しないが排水管接続口２０６に向かって下がる方向に傾斜した空間を有し、破砕室２０２に投入されて破砕された厨芥の破砕物が、破砕室２０２への給水で排水管接続口２０６方向に流れるように構成される。
【００３６】
厨芥処理装置２００は、破砕室２０２の投入口２０４に着脱可能に取り付けられる蓋２０７を備える。厨芥処理装置２００は、投入口２０４が蓋２０７で閉じられた状態で、シンク２０３に水が流されると、蓋２０７の図示しない給水孔を通して、破砕室２０２内へ給水が行われる。なお、厨芥処理装置２００は、電磁弁で作動する図示しない吸水バルブと接続されて、破砕室２０２部２０１内へ直接給水する機構を備えても良い。
【００３７】
厨芥処理装置２００は、投入口２０４を閉じた蓋２０７の回転動作で、蓋２０７が投入口２０４に着脱可能な状態と、投入口２０４を閉じた状態で着脱不可の状態を切り替えて、蓋２０７のロック及びロック解除を行う図示しないロック機構を備える。
【００３８】
また、厨芥処理装置２００は、操作部１０１として、永久磁石とマグネットセンサ等を利用して蓋２０７の開閉を検出することで、破砕開始及び破砕停止のスイッチを構成する図示しない検出センサを備える。
【００３９】
例えば、厨芥処理装置２００では、投入口２０４を閉じた蓋２０７を所定の方向に回転させて投入口２０４にロックすると、スイッチがオンとなり、破砕が開始する。また、厨芥処理装置２００は、蓋２０７を逆方向に回転させてロックを解除すると、破砕が停止する。
【００４０】
破砕室２０２は、底面２０２ａから上方に延在する破砕軸２０８を備える。破砕軸２０８は、図２に示す負荷２としてのモータ２０に駆動されて回転する。破砕軸２０８は、回転破砕部２０１が設けられた破砕腕部２０９が取り付けられる。
【００４１】
破砕腕部２０９は、破砕軸２０８の回転方向に対して内側から外側へ向けて破砕軸２０８から延在し、破砕室２０２の底面２０２ａから空間２１０を開けて配置される。回転破砕部２０１は、金属材料で構成され、破砕腕部２０９の回転方向外側の端部から破砕室２０２の内壁に沿って本例では下方に延在する。
【００４２】
回転破砕部２０１は、破砕室２０２の底面２０２ａに向かって先細りするテーパ形状を有する。また、回転破砕部２０１は、破砕室２０２の底面２０２ａに略水平な方向の断面形状が、破砕室２０２の内壁側が長辺、破砕軸２０８側が短辺となる略台形である。
【００４３】
破砕室２０２は、内壁から内側に向けて突出する突出部２１１を備える。突出部２１１は、破砕室２０２の底面２０２ａから上方に延在し、本例では、約１２０°間隔で設けられる。突出部２１１の水平方向の断面形状は略三角形状である。突出部２１１は、回転破砕部２０１よりも上方に高く延在することが好ましい。
【００４４】
破砕室２０２は、底面１０ａから上方に延在する立ち上げ破砕部２１２を備える。立ち上げ破砕部２１２は、突出部２１１と位置をずらして、約１２０°間隔の同心円上に配置される。立ち上げ破砕部２１２は、水平方向の断面形状が、回転破砕部２０１と同様に、破砕室２０２の内壁側が長辺、破砕軸２０８側が短辺となる略台形であることが好ましい。立ち上げ破砕部２１２の立ち上げ長さは、回転破砕部２０１が回転して立ち上げ破砕部２１２の近傍を通り過ぎる際に、厨芥を破砕可能な長さであればよい。破砕室２０２では、回転破砕部２０１の軌跡に対して外側に突出部２１１が配置され、内側に立ち上げ破砕部２１２が配置される。
【００４５】
破砕室２０２は、底面２０２ａにターンテーブル２１３を備える。ターンテーブル２１３は、破砕軸２０８に取り付けられ、回転破砕部２０１と共に回転する。
【００４６】
破砕室２０２は、破砕した厨芥等の破砕物を破砕室２０２外に排出する排出口２１４を備える。排出口２１４は、破砕室２０２の底面２０２ａに、本例では回転破砕部２０１の軌跡に沿った円弧状の開口を設けて構成される。
【００４７】
厨芥処理装置２００は、蓋２０７の所定の操作等でモータ２０が回転すると、破砕軸２０８、破砕腕部２０９、回転破砕部２０１、ターンテーブル２１３が一体に回転する。これに対して、突出部２１１と立ち上げ破砕部２１２は回転しない。
【００４８】
投入口２０４から破砕室２０２内に投入された厨芥は、破砕腕部２０９及びターンテーブル２１３により攪拌され、回転破砕部２０１と突出部２１１との間、及び、回転破砕部２０１と立ち上げ破砕部２１２との間で破砕される。
【００４９】
一般に、軽く小さい厨芥、及び、軽く薄い厨芥は、遠心力により破砕室２０２の内壁に向けて飛ばされる。一方、重たく大きい厨芥は、軽く小さい厨芥よりも下方に誘導される。これにより、回転破砕部２０１と突出部２１１との間では、遠心力で飛ばされた主に軽い厨芥、薄い厨芥が破砕される。また、回転破砕部２０１と立ち上げ破砕部２１２との間では、主に重さがあるような厨芥、大きさのある厨芥等が破砕される。破砕腕部２０９は、破砕室２０２の底面２０２ａから空間２１０を開けて配置されるので、ある程度の大きさのある厨芥でも開口２１０ａから空間２１０に入り破砕される。
【００５０】
回転破砕部２０１は、突出部２１１及び立ち上げ破砕部２１２に対して上下方向に平行に設けたことで、破砕時の破砕物と接する上下方向の長さを大きく取れ、破砕効率を向上させることができる。
【００５１】
また、回転破砕部２０１は、突出部２１１とすれ違うタイミングと立ち上げ破砕部２１とすれ違うタイミングをずらしているので、破砕時の負荷を軽減することができる。
【００５２】
更に、回転破砕部２０１と立ち上げ破砕部２１２の断面形状を台形とすることで、破砕時に厨芥を挟む回転破砕部２０１と突出部２１１との隙間を小さくすることができる。これにより、小さく軽いまたは薄い厨芥を、より細かく破砕することができる。また、破砕時に厨芥を挟む回転破砕部２０１と立ち上げ破砕部２１２との隙間を広くすることができる。これにより、小さく軽いまたは薄い厨芥より内側で下方に飛んだ大きく重い厨芥を、回転破砕部２０１の鈍角の広い間口で受け入れつつ、立ち上げ破砕部２１２の鋭角頂点で破砕することができる。
【００５３】
排出口２１４の大きさより小さく破砕された厨芥は、排出口２１４から破砕室２０２の外へ落とされ、排水管接続口２０６から排出される。
【００５４】
＜本実施の形態の設備機器の動作例＞
以下に、各図を参照して本実施の形態の設備機器の動作について説明する。
【００５５】
制御部１００は、操作部１０１での所定の操作に応じた制御信号Ｓ１を駆動部６に出力し、負荷２を制御する。設備機器１Ａが厨芥処理装置２００である場合、操作部１０１は、例えば蓋２０７の開閉を検出する検出センサで構成され、蓋２０７が閉じられたことを検出すると、制御部１００は制御信号Ｓ１を駆動部６に出力し、モータ２０を制御する。厨芥処理装置２００は、モータ２０で回転破砕部２０１が駆動され、例えば、所定時間毎に正逆回転が切り替えられる制御、負荷に応じて正逆回転が切り替えられる制御、時間で回転を停止させる制御、負荷に応じて回転を停止させる制御等が行われる。
【００５６】
設備機器１Ａでは、負荷２に電気を供給する第１の電源系統３Ａで漏電が発生したことを、第１の電源系統３Ａを流れる電流値等から漏電検出部７が検出すると、漏電検出部７から漏電検出信号Ｓ２が出力される。
【００５７】
制御部１００は、漏電検出信号Ｓ２が入力されると、遮断信号Ｓ３を遮断部８に出力する。遮断部８は、遮断信号Ｓ３が入力されると、第１の電源系統３Ａを遮断する。遮断部８で第１の電源系統３Ａが遮断されることで、漏電発生箇所では電気が流れない。
【００５８】
一方、制御部１００は、遮断部８で第１の電源系統３Ａが遮断されても、第２の電源系統３Ｂで電気が供給される。これにより、制御部１００は、漏電検出信号Ｓ２が入力されると報知信号Ｓ６を出力し、報知部１０２により使用者等に報知を行う。
【００５９】
報知部１０２がブザーであれば、例えば、一定間隔で音を出力する。異常の発生をブザーで報知する構成では、異常の種別に応じて音を出力する間隔を変える等により、異常を識別できるようにしても良く、漏電の検出を示す予め決められた間隔で音を出力することとしても良い。
【００６０】
設備機器１Ａが厨芥処理装置２００である場合、厨芥処理装置２００は、シンク下に設置されるので、扉を開けないと視認することができない。そこで、ブザーで異常の報知を行うことで、扉を開ける前に、漏電等の異常の発生、及び異常の発生により装置が停止したことを認識可能となる。
【００６１】
また、設備機器１Ａが図示しない浴室換気乾燥暖房装置である場合、洗面脱衣所に設置された操作部で、ランプの点灯、点滅等で漏電を検出したことを報知しても良いし、ブザーで報知しても良い。また、ディスプレイに文言等を出力して報知しても良い。
【００６２】
制御部１００は、保守作業のため、上述したように、設備機器１Ａが電源４から遮断されるまで報知信号Ｓ６を出力することとしても良い。また、設備機器１Ａが厨芥処理装置２００である場合、蓋２０７を開閉する所定の操作を検出すると、報知信号Ｓ６を停止しても良い。
【００６３】
制御部１００は、遮断部８で第１の電源系統３Ａが遮断されても、第２の電源系統３Ｂで電気が供給されるので、記憶信号Ｓ７を出力して漏電が発生したことを示す履歴を記憶部１０３に記憶することが可能である。これにより、保守作業者等は、履歴を参照することで漏電の発生を認識でき、保守作業を容易に行うことが可能である。
【００６４】
電源４から供給される高電圧の交流で負荷２を作動させる設備機器１Ａでは、負荷２で高い出力を得ることができ、負荷２がモータ２０であると、高いトルクを得ることが可能となる。一方、電源４から負荷２へ電気を供給する第１の電源系統３Ａで漏電が発生した場合、制御部１００の制御によって遮断部８により第１の電源系統３Ａを遮断することができる。これにより、高電圧で負荷を駆動する構成の設備機器１Ａにおいて安全性が向上する。
【００６５】
また、電源４と制御部１００は、制御電力生成部５を構成する変圧部５０で電気的に絶縁されており、制御部１００へは低電圧の電気が供給されるので、高電圧の電気が漏電することなく、制御部１００に電気を供給することができる。
【００６６】
更に、遮断部８により第１の電源系統３Ａを遮断した後も、電源４から制御部１００へ電気を供給する第２の電源系統３Ｂは遮断されないので、例えば、漏電により負荷２の駆動を停止したことを、報知部１０２で使用者に報知することができる。これにより、設備機器１Ａの使用者、設備機器１Ａの保守作業者等は、機器が停止した原因が漏電によるものであることを知ることができる。
【００６７】
また、制御部１００は、設備機器１Ａの動作で使用回数、使用時間等の履歴を記憶部１０３に記憶しており、漏電発生による第１の電源系統３Ａへの電気の供給を停止した後も、制御部１００には電気が供給されるので、漏電発生に伴う履歴情報を記憶部１０３に記憶することができる。
【００６８】
これにより、漏電が発生するまでの使用回数、使用時間、漏電発生から復帰までの経過時間、日数等の日時情報等の漏電履歴情報が記憶部１０３に記憶されて、保守作業者等が漏電履歴情報を把握できるようにすることができる。従って、漏電が製造等の初期段階での不具合に要因があるのか、使用時間が長いのであれば、経年劣化によって漏電が発生しやすい場所があるのか等、原因の特定が容易となる。
【００６９】
＜本実施の形態の設備機器の変形例＞
上述した本実施の形態の設備機器１Ａでは、負荷２に電気を供給する第１の電源系統３Ａと、制御部１００に電気を供給する第２の電源系統３Ｂは同一の電源４、具体的には１つのコンセントから電気の供給を受ける構成とした。これに対し、第１の電源系統３Ａと第２の電源系統３Ｂで異なる電源、例えば、異なる２つのコンセントから電気の供給を受ける構成としても良い。
【００７０】
図５は、本実施の形態の設備機器の変形例を示すブロック図である。変形例の設備機器１Ｂは、第２の電源系統に電気を供給する補助電源９を備える。補助電源９は、充電不可のバッテリ、充電可能なバッテリ等で構成される。
【００７１】
設備機器１Ｂは、第１の電源系統３Ａが商用電源である電源４から電気の供給を受け、第２の電源系統３Ｂが補助電源９から電気の供給を受ける。これにより、第１の電源系統３を遮断部８で遮断しても、制御部１００は補助電源９から電気の供給を受けて作動する。なお、補助電源９から電気を供給する構成では、制御部１００に対応した電圧で電気が供給できる構成であれば、制御電力生成部は不要である。また、第２の電源系統３Ｂは、電源４からの電気の供給と、補助電源９からの電気の供給が切り換えられる構成でも良い。
【産業上の利用可能性】
【００７２】
本発明は、住宅等に設置される電気で作動する様々な設備機器に適用される。
【符号の説明】
【００７３】
１Ａ、１Ｂ・・・設備機器、２・・・負荷、３Ａ・・・第１の電源系統、３Ｂ・・・第２の電源系統、４・・・電源、５・・・制御電力生成部、５０・・・変圧部、５１・・・整流部、６・・・駆動部、６０・・・絶縁回路部、７・・・漏電検出部、８・・・遮断部、９・・・補助電源、１００・・・制御部、１０１・・・操作部、１０２・・・報知部、１０３・・・記憶部、２００・・・厨芥処理装置
【図１】
0006540203.tif 000002
【図２】
0006540203.tif 000003
【図３】
0006540203.tif 000004
【図４】
0006540203.tif 000005
【図５】
0006540203.tif 000006